(57)【要約】【課題】音声通信に用いられる複数の音声通信装置を備えた電話機において、各音声通信装置の音声パラメータを適切に設定する。【解決手段】親機（１０）および子機（２０）を備えた電話機（１）において、親機（１０）が送話または受話する場合、親機記憶部（１５）が記憶する対応関係情報を参照して、相手番号に応じて、音声パラメータを調節する一方、子機（２０）が送話または受話する場合、子機記憶部（２５）が記憶する対応関係情報を参照して、相手番号に応じて、音声パラメータを設定する。【選択図】図１
2018037745.tif 000002
【特許請求の範囲】
【請求項１】
複数の音声通信装置を備えた電話機であって、
電話の接続相手の電話番号である相手番号と、送出または出力する音声に関係する音声パラメータとを対応付けた対応関係情報を、上記音声通信装置ごとに記憶しており、
上記複数の音声通信装置のいずれか１つが、接続相手に音声を送出するか、あるいは当該接続相手の音声または録音された音声を出力する場合、当該いずれか１つの音声通信装置の上記対応関係情報に基づいて、当該接続相手の上記相手番号に応じて、上記音声パラメータを設定することを特徴とする電話機。
【請求項２】
音声の送出または出力に用いられる音声通信装置が音声の送出または出力中に切り替えられた場合、切り替え前の音声通信装置から切り替え後の音声通信装置へ、上記相手番号を通知し、
上記切り替え後の音声通信装置は、上記切り替え後の音声通信装置の上記対応関係情報を参照して、上記切り替え前の音声通信装置から通知された上記相手番号に応じて、上記音声パラメータを設定することを特徴とする請求項１に記載の電話機。
【請求項３】
上記複数の音声通信装置のうち少なくとも１つの音声通信装置は、上記対応関係情報を記憶していることを特徴とする請求項１または２に記載の電話機。
【請求項４】
接続相手に音声を送出している間、あるいは当該接続相手の音声または録音された音声を出力している間に上記音声パラメータが変更された場合、音声の送出または出力に用いられる音声通信装置は、上記接続相手の上記相手番号と、変更後の音声パラメータとを対応付けた対応関係情報を記憶することを特徴とする請求項２または３に記載の電話機。
【請求項５】
音声の送出または出力に用いられる音声通信装置が記憶する上記対応関係情報中に、上記接続相手の相手番号がない場合、当該音声通信装置は、当該接続相手の上記相手番号と、当該接続相手へ音声を送出する場合または当該接続相手から音声または録音された音声を出力する場合の上記音声パラメータとを対応付けた対応関係情報を、当該音声通信装置に記憶することを特徴とする請求項２から４のいずれか１項に記載の電話機。
【発明の詳細な説明】
【技術分野】
【０００１】
本発明は、電話機に関し、例えば、受話音量、受話音質、および送話音量等を設定または変更することが可能な電話機に関する。
【背景技術】
【０００２】
従来の電話機では、ユーザが、受話音量および受話音質等の音声パラメータを設定したり変更または調節したりする。また、特許文献１および２には、通話相手に応じて、上記音声パラメータを自動的に調節する電話機が記載されている。より詳細には、特許文献１および２に記載の電話機は、通話相手の電話番号の情報と受話音量（音声パラメータ）の情報とを対応付けて、それらの情報を記憶している。通話開始時に、上記電話機は、通話相手の電話番号に基づいて、通話相手を特定する。そして、特定した通話相手の情報と対応する受話音量の情報に基づいて、受話音量を調節する。また、特許文献２には、通話中にユーザが受話音量を調節した場合、通話相手の情報と、調節後の受話音量の情報とを対応付けて、それらの情報を記憶することも記載されている。
【先行技術文献】
【特許文献】
【０００３】
【特許文献１】特開２００１−０９４６０４号公報（２００１年４月  ６日公開）
【特許文献２】特開２０１５−０６１３０３号公報（２０１５年３月３０日公開）
【発明の概要】
【発明が解決しようとする課題】
【０００４】
しかしながら、親機および子機を備えた電話機では、親機と子機との間で、適切な受話音量（音声パラメータ）の設定が異なる場合がある。例えば、親機を主に使用するユーザと、子機を主に使用するユーザとが異なる場合、ユーザによって、同じ通話相手の音声の聞こえ方が異なるので、親機と子機との間で、適切な受話音量が異なる。また、子機同士の間でも、適切な音声パラメータが異なる場合がある。つまり、親機および子機を備えた電話機に限らず、音声通信（送話または発話）に用いられる複数の音声通信装置を備えた電話機には、この問題がある。
【０００５】
本発明は、前記の問題点に鑑みてなされたものであり、その目的は、音声通信に用いられる複数の音声通信装置を備えた電話機において、各音声通信装置の音声パラメータを適切に設定することにある。
【課題を解決するための手段】
【０００６】
上記の課題を解決するために、本発明の一態様に係る電話機は、複数の音声通信装置を備えた電話機であって、電話の接続相手の電話番号である相手番号と、送出または出力する音声に関係する音声パラメータとを対応付けた対応関係情報を、上記音声通信装置ごとに記憶しており、上記複数の音声通信装置のいずれか１つが、接続相手に音声を送出するか、あるいは当該接続相手の音声または録音された音声を出力する場合、当該いずれか１つの音声通信装置の上記対応関係情報に基づいて、当該接続相手の上記相手番号に応じて、上記音声パラメータを設定する。
【発明の効果】
【０００７】
本発明の一態様によれば、音声通信に用いられる複数の音声通信装置を備えた電話機において、各音声通信装置の音声パラメータを適切に設定することができる。
【図面の簡単な説明】
【０００８】
【図１】実施形態１に係る電話機の構成を示すブロック図である。
【図２】実施形態１に係る電話機の外観図である。
【図３】実施形態１に係る電話機の親機および子機において、通話終了時に、通話相手の情報と、該通話相手に対応する音声パラメータの情報とを保存する方法を示すフローチャートである。
【図４】実施形態１に係る電話機の親機および子機において、通話開始時に、通話相手に応じて、音声パラメータを調節する方法を示すフローチャートである。
【図５】実施形態１に係る電話機の親機および子機に保存される音声パラメータ設定テーブルの一例を示す図である。
【図６】実施形態２に係る電話機の親機に保存される音声パラメータ設定テーブルの一例を示す図である。
【発明を実施するための形態】
【０００９】
〔実施形態１〕
以下、本発明の一実施形態について、図１〜図４を用いて詳細に説明する。
【００１０】
（電話機１）
図２を用いて、本実施形態に係る電話機１の構成を説明する。図２は、電話機１の外観図である。図２に示すように、電話機１は、親機１０（音声通信装置）および子機２０（音声通信装置）で構成されている。電話機１は、着信電話番号（つまり、着信時の通話相手の電話番号）を交換機から取得する（図１参照）。また、電話機１では、親機１０および子機２０のどちらか一方が、電話回線を掴むことができる。つまり、ユーザは、親機１０および子機２０のどちらを用いても、通話することができる。電話回線は親機１０に接続されている（図１参照）。ユーザが子機２０を用いて通話する場合、子機２０は、無線通信によって、親機１０に電話回線を掴むように指示する。通話中、親機１０と子機２０とは、無線通信によって、ユーザおよび通話相手の音声データをやり取りする。また、子機２０で着信に応答した場合、子機２０は親機１０から着信電話番号の情報を取得する。なお、図２では、電話機１の子機２０は１台のみであるが、電話機１は複数台（ｎ台）の子機２０を備えていてもよい。
【００１１】
図２に示すように、親機１０は、本体１０Ａと、本体１０Ａとは別体のコードレス受話器１０Ｂとを備えている。親機１０の本体１０Ａとコードレス受話器１０Ｂとは、無線で接続されている。図２に示すように、コードレス受話器１０Ｂの背面には、親機受話部１１（図１参照）を構成するスピーカが配置されている。スピーカは、通話相手の音声を出力する。
【００１２】
親機１０の本体１０Ａの表面には、物理ボタンおよび十字キーを含む親機操作部１２が配置されている。親機操作部１２は、親機１０の受話音量（すなわち、親機１０のイヤピースまたはスピーカから出力される通話相手の音声の大きさ）を調節（設定または変更）するための音量大ボタンを含む。ユーザは、親機操作部１２の音量大ボタンを押下することによって、親機１０の受話音量を段階的に大きくすることができる（電話機１の音量大機能）。例えば、親機１０は、親機操作部１２の音量大ボタンを押下することによって、親機１０の音量大機能をＯＮとＯＦＦとの間で切り替えられるように構成されていてよい。また、親機１０は、音量大機能のＯＮ／ＯＦＦとは別に、設定メニューから、親機１０の送話音量および受話音量等を調節することが可能であってもよい。
【００１３】
図２に示すように、子機２０は、子機受話部２１、子機操作部２２、および子機送話部２３を備えている。子機受話部２１は、具体的には、通話相手の音声等を出力するためのイヤピースである。子機操作部２２は、物理ボタンおよび十字キーを含んでいる。子機送話部２３は、具体的には、ユーザの音声を検出するマイクロフォンを含む。
【００１４】
（親機１０の詳細）
図１を用いて、前述した親機１０の詳細な構成をそれぞれ説明する。図１は、電話機１の構成を示すブロック図である。図１に示すように、親機１０は、親機受話部１１、親機操作部１２、親機送話部１３、親機制御部１４、および親機記憶部１５を備えている。
【００１５】
親機受話部１１は、通話相手の音声を出力する。親機受話部１１は、コードレス受話器１０Ｂの背面に配置されたスピーカ（図２参照）に加え、コードレス受話器１０Ｂの表面に配置されたイヤピースも含んでいてよい（図示せず）。また、親機１０の本体１０Ａにも、親機受話部１１に含まれるスピーカが配置されていてよい。
【００１６】
親機操作部１２は、親機１０に対するユーザの操作を検出する。前述したように、親機操作部１２は、本体１０Ａの表面に配置された物理ボタンおよび十字キーを含む。親機送話部１３は、ユーザの音声を検出して、検出したユーザの音声を、親機１０と接続された電話回線を介して通話相手に送信する。親機送話部１３は、コードレス受話器１０Ｂに配置された、ユーザの音声を検出するためのマイクロフォン（図示せず）を含んでいてよい。
【００１７】
親機制御部１４は、親機１０の動作を制御する。親機１０において通話開始した場合、または、親機１０において終話した場合、親機制御部１４は、通話相手の情報を親機記憶部１５に保存する。また、着信時に、親機１０において通話開始した場合、親機制御部１４は、着信電話番号に応じて、ユーザおよび通話相手の音声に関わるパラメータ（以下では、音声パラメータと呼ぶ）を調節する。音声パラメータは、例えば、受話音量、音量大機能のＯＮ／ＯＦＦ、通話音質、および送話音量を含む。親機制御部１４は、相手番号取得部１４１、音量制御部１４２、音質制御部１４３、および設定情報保存部１４４を含む。親機制御部１４の各部が、音声パラメータを保存する方法、および音声パラメータを調節する方法については後述する。
【００１８】
親機記憶部１５は、通話相手の電話番号（発信電話番号または着信電話番号）の情報と、通話終了時における音声パラメータとを対応付けて、これらの情報（対応関係情報）を、音声パラメータ設定テーブルに追加する。なお、音声パラメータ設定テーブルの一例を後述する。
【００１９】
（子機２０の詳細）
図１を用いて、前述した子機２０の詳細な構成を説明する。図１に示すように、子機２０は、子機受話部２１、子機操作部２２、子機送話部２３、子機制御部２４、および子機記憶部２５を備えている。
【００２０】
子機受話部２１は、通話相手の音声を出力する。子機受話部２１は、子機２０の表面に配置されたイヤピース（図２参照）を含む。また、子機受話部２１は、子機２０のスピーカをさらに含んでいてもよい。例えば、図２に示す子機２０の裏面に、子機受話部２１に含まれるスピーカが配置されていてもよい。
【００２１】
子機操作部２２は、子機２０に対するユーザの操作を検出する。子機操作部２２は、前述したように、物理ボタンおよび十字キーを含む。また、子機操作部２２は、子機２０の受話音量（すなわち、子機２０のイヤピースまたはスピーカから出力される音声の大きさ）を調節するための音量大ボタンを含む。子機送話部２３は、ユーザの音声を検出して、検出したユーザの音声データを、親機１０に送信する。また、子機送話部２３は、親機１０へ送信したユーザの音声データを、電話回線を介して通話相手に送信するように、親機１０に指示する。子機送話部２３は、子機２０の表面に配置されたマイクロフォン（図２参照）を含む。
【００２２】
ユーザは、子機操作部２２に含まれる音量大ボタンを押下することによって、子機２０の受話音量を段階的に大きくすることができる。本実施形態では、子機２０は、子機操作部２２に含まれる音量大ボタンの押下によって、子機２０の音量大機能をＯＮとＯＦＦとの間で切り替えられるように構成されていてよい。また、子機２０は、音量大機能とは別に、音声パラメータの設定メニューから、子機２０の送話音量および受話音量を調節することが可能であってもよい。
【００２３】
子機制御部２４は、子機２０の動作を制御する。子機２０において通話開始した場合、または、子機２０において終話した場合、子機制御部２４は、通話相手の情報を、子機記憶部２５に保存する。また、着信時に、子機２０において通話開始した場合、子機制御部２４は、子機記憶部２５に記憶された音声パラメータ設定テーブルを参照して、通話相手の電話番号（すなわち着信電話番号）に応じて、音声パラメータを調節する。子機制御部２４は、相手番号取得部２４１、音量制御部２４２、音質制御部２４３、および設定情報保存部２４４を含む。子機制御部２４の各部が、音声パラメータを保存する方法、および調節する方法を後述する。
【００２４】
子機記憶部２５は、通話相手の電話番号（すなわち発信電話番号または着信電話番号）の情報と、音声パラメータとを対応付けて、これらの情報を音声パラメータ設定テーブルとして記憶する。音声パラメータ設定テーブルの一例を後述する。
【００２５】
（音声パラメータの保存方法）
図３を用いて、親機１０において終話した場合に、親機制御部１４が、通話相手の電話番号（以下では、相手番号と呼ぶ）の情報と音声パラメータとを親機記憶部１５に保存する方法を説明する。図３は、相手番号の情報と音声パラメータとを保存する方法の流れを示すフローチャートである。なお、子機２０において終話した場合、子機２０において、図３に示すフローチャートと同じ流れで、相手番号の情報と音声パラメータとが子機記憶部２５に保存されてよい。
【００２６】
通話開始時に、親機制御部１４の相手番号取得部１４１が、相手番号の情報を取得する。具体的には、電話機１が通話相手に発信する場合、相手番号取得部１４１は、親機１０に入力された発信先電話番号（相手番号）の情報を取得する。一方、親機１０または子機２０が着信に応答した場合、相手番号取得部１４１は、交換機から、相手先情報として、着信電話番号（相手番号）の情報を取得する。また、通話中、ユーザが、親機１０の音声パラメータ（例えば、受話音量）を調節する操作を行った場合、音量制御部１４２および音質制御部１４３は、調節後の音声パラメータの情報を受信する（Ｓ１１）。なお、子機２０において終話した場合、ステップＳ１１では、相手番号取得部１４１の代わりに相手番号取得部２４１が、音量制御部１４２の代わりに音量制御部２４２が、音質制御部１４３の代わりに音質制御部２４３が、それぞれ、上述した処理を実行する。
【００２７】
相手番号取得部１４１が相手番号の情報を受信することができなかった場合（Ｓ１１でＮｏ）、音声パラメータの保存方法のフローは終了する。ここで、相手番号取得部１４１が相手番号の情報を受信することができない場合として、通話相手が相手番号を電話機１に通知することを拒否していた場合などがある。
【００２８】
一方、相手番号取得部１４１が相手番号の情報を受信することができた場合（Ｓ１１でＹｅｓ）、設定情報保存部１４４は、終話後（Ｓ１２）に、音量制御部１４２および音質制御部１４３から、終話時における音声パラメータの情報を取得する。設定情報保存部１４４は、相手番号取得部１４１が受信した相手番号の情報と、終話時における音声パラメータの情報とを対応付けて、新たな対応関係情報を生成する。そして、生成した対応関係情報を親機記憶部１５の音声パラメータ設定テーブルに追加する（Ｓ１３）。
【００２９】
ここで、Ｓ１３において、相手番号の情報が親機記憶部１５の音声パラメータ設定テーブルに既に記憶されていた場合、設定情報保存部１４４は、相手番号の情報と対応付けられている音声パラメータの情報を、終話時における音声パラメータの情報で置換する。なお、子機２０において終話した場合、ステップＳ１３では、設定情報保存部１４４の代わりに設定情報保存部２４４が、上記対応関係情報を子機記憶部２５の音声パラメータ設定テーブルに追加する。以上で、音声パラメータの保存方法のフローは終了する。
【００３０】
（音声パラメータの調節方法）
図４を用いて、親機１０において通話開始した場合に、親機制御部１４が、親機記憶部１５に記憶された音声パラメータ設定テーブルを参照して、通話相手に応じて、音声パラメータを調節する方法を説明する。図４は、音声パラメータの調節方法の流れを示すフローチャートである。なお、ここでは説明しないが、子機２０において通話開始した場合、子機２０において、図４に示すフローチャートと同じ流れで、通話中に音声パラメータが調節されてよい。
【００３１】
通話開始時に、親機制御部１４の相手番号取得部１４１は、相手先情報として、相手番号（すなわち着信電話番号または発信電話番号）の情報を交換機から受信する（Ｓ２１）。相手番号取得部１４１が、相手番号の情報を交換機から受信することができなかった場合（Ｓ２１でＮｏ）、音声パラメータの調節方法のフローは終了する。
【００３２】
相手番号取得部１４１が、相手番号の情報を交換機から受信することができた場合（Ｓ２１でＹｅｓ）、音量制御部１４２は、親機記憶部１５に記憶された音声パラメータ設定テーブルを参照して、該音声パラメータ設定テーブルに含まれる対応関係情報の中から、受信した相手番号の情報と対応付けられた音声パラメータの情報を検索する（Ｓ２２）。なお、子機２０において通話開始した場合、相手番号取得部１４１の代わりに相手番号取得部２４１が、相手番号の情報を取得し、音量制御部１４２の代わりに音量制御部２４２が、子機記憶部２５に記憶された音声パラメータ設定テーブルを参照して、相手番号の情報と対応付けられた音声パラメータの情報を検索する。
【００３３】
親機記憶部１５の音声パラメータ設定テーブル中、相手番号の情報と対応付けられた音声パラメータの情報がない場合（Ｓ２２でＮｏ）、音声パラメータの調節方法のフローは終了する。
【００３４】
一方、音量制御部１４２は、音声パラメータ設定テーブル中から、相手番号の情報と対応付けられた音声パラメータの情報を発見することができた場合（Ｓ２２でＹｅｓ）、発見した音声パラメータに含まれる受話音量の情報に基づいて、親機受話部１１を制御することによって、親機１０の受話音量を調節する（Ｓ２３）。具体的には、音量制御部１４２は、電話回線を通って親機１０に入力された通話相手の音声の音量を、初期値よりも増幅または抑制して、親機受話部１１のイヤピースまたはスピーカから、増幅または抑制された通話相手の音声を出力してもよい。なお、音質制御部１４３も、音声パラメータ設定テーブルを参照して、相手番号の情報と対応付けられた音声パラメータの情報に基づいて、親機１０の受話音質を調節してもよい。この場合、音質制御部１４３は、通話相手の音声信号に含まれる周波数成分のうち、親機受話部１１が精度よく受信する周波数成分が、低周波成分寄りまたは高周波成分寄りになるように親機受話部１１の感度を調節してもよい。なお、子機２０において通話開始した場合、ステップＳ２３では、音量制御部１４２の代わりに音量制御部２４２が、音質制御部１４３の代わりに音質制御部２４３が、それぞれ、上述した処理を実行する。
【００３５】
（音声パラメータ設定テーブル）
図５は、親機記憶部１５または子機記憶部２５が記憶する音声パラメータ設定テーブルの一例を示す図である。音声パラメータ設定テ−ブルには、相手番号と音声パラメータとの対応関係を示す対応関係情報が含まれる。図５に示す音声パラメータ設定テーブルでは、相手番号の情報と、４つの音声パラメータ、すなわち、送話音量、受話音量、音量大機能ＯＮ／ＯＦＦ、および通話音質の各情報とが対応付けられている。なお、親機記憶部１５に記憶される音声パラメータ設定テーブルも、子機記憶部２５に記憶される音声パラメータ設定テーブルも、同じデータ構造を有していてよい。本実施形態では、親機１０および子機２０は、それぞれ、自機において通話開始または終話した場合の対応関係情報のみを保持する。すなわち、親機記憶部１５には、親機１０において終話または通話開始した場合の対応関係情報が保存されるが、子機記憶部２５には、子機２０において終話または通話開始した場合の対応関係情報が保存される。なお、音声パラメータ設定テーブルのデータ量が増大して、親機記憶部１５または子機記憶部２５に記憶可能なデータ量の上限に達した場合、音声パラメータ設定テーブルに含まれる対応関係情報の中で古い情報から順番に削除されてもよいし、過去の所定期間内における参照回数が最も少ない対応関係情報から順番に削除されてもよい。
【００３６】
なお、音声パラメータ設定テーブルの対応関係情報には、ユーザが過去に通話したことがある通話相手の電話番号の情報の他に、電話機１の電話帳等に登録された電話番号の情報も含まれていてよい。この場合、電話帳等に登録された電話番号の情報は、音声パラメータの初期値の情報と対応付けられていてよい。上記の構成によれば、ユーザと、登録された電話番号の相手との最初の通話において、音声パラメータ設定テーブルの対応関係情報に基づいて、音声パラメータを調節することができる。また、ユーザは、自分の声の大きさや聴力に応じて、適音声パラメータの初期値を適切に設定しておくことにより、初めて通話する相手とも良好に通話することができる。なお、電話帳に登録された電話番号の音声通信相手と電話機１との間で音声通信が行われた場合、電話帳に登録された電話番号と対応付けられた音声パラメータの初期値は、通話開始時または終話時の音声パラメータによって置換されてよい。
【００３７】
（変形例）
一変形例では、電話機１が複数の子機２０を備える場合、全てまたは一部の子機２０の間で、対応関係情報が共通化されてもよい。すなわち、ある１つの子機２０を用いて通話が行われた場合、その通話に基づいて生成される対応関係情報が、全てまたは一部の子機２０が備えた子機記憶部２５の音声パラメータ設定テーブルに保存されてよい。
【００３８】
他の変形例では、通話中に、通話の転送の操作等によって、親機１０から子機２０へ、あるいはその逆に、送話または受話に用いられる音声通信装置が切り替えられた場合、相手番号の情報に加えて、音声パラメータの情報も、切り替え前の音声通信装置から切り替え後の音声通信装置へ送信されてよい。この構成では、切り替え後の音声通信装置は、切り替え前の音声通信装置から受信した音声パラメータの情報に基づいて、音声パラメータを調節することができる。なお、切り替え後の音声通信装置が記憶する音声パラメータ設定テーブル中に、相手番号の情報と対応付けられた音声パラメータの情報がある場合、切り替え後の音声通信装置は、切り替え前の音声通信装置から受信した音声パラメータの情報よりも、当該音声パラメータ設定テーブル中の音声パラメータの情報を優先することが好ましい。すなわち、切り替え後の音声通信装置は、当該音声パラメータ設定テーブル中の音声パラメータの情報に基づいて、音声パラメータを調節することが好ましい。
【００３９】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００４０】
本実施形態では、親機１０は、自機において通話開始または終話した場合に生成される対応関係情報（すなわち、相手番号の情報と、音声パラメータとの対応関係を示す情報）だけでなく、子機２０において終話または通話開始した場合に生成される対応関係情報も、親機記憶部１５に保存する。つまり、本実施形態では、親機１０の親機記憶部１５にのみ、音声パラメータ設定テーブルが記憶される。
【００４１】
本実施形態において、子機２０は、自機において生成した対応関係情報を、無線通信によって、親機１０に送信する。子機２０は、自機において通話が行われるごとに、上記対応関係情報を親機１０に送信してもよいし、定期的に、上記対応関係情報を親機１０に送信してもよい。例えば、子機２０は、電話機１が使用される頻度が少ない深夜から早朝までの時間帯に、上記対応関係情報を親機１０に送信してもよい。
【００４２】
図６は、本実施形態において、親機記憶部１５が記憶する音声パラメータ設定テーブルの一例を示す図である。図６に示す音声パラメータ設定テーブルに含まれる対応関係情報では、図５に示す音声パラメータ設定テーブルと同様に、相手番号の情報と、音声パラメータ（すなわち、送話音量、受話音量、音量大機能ＯＮ／ＯＦＦ、および通話音質の各情報）とが対応付けられている。加えて、図６に示す音声パラメータ設定テーブルに含まれる対応関係情報には、相手番号に発信した音声通信装置（つまり、親機１０または子機２０）を示す情報も対応付けられている。
【００４３】
電話機１が複数の子機２０を備えている場合、子機２０ごとに、当該子機２０を主に使用するユーザが異なる可能性がある。また、子機２０が置かれている場所や子機２０の性能によって、当該子機２０が親機１０から受信する無線信号の強度が異なる可能性がある。したがって、子機２０ごとに、同じ通話相手に対応付けられる適切な音声パラメータは、それぞれ異なる。
【００４４】
図６に示す音声パラメータ設定テーブルでは、電話機１が備えた各子機２０に、１〜ｎ（ｎは１以上の整数）の番号がそれぞれ割り当てられている。つまり、図６に示す音声パラメータ設定テーブルでは、子機２０ごとに、対応関係情報が区別されている。
【００４５】
本実施形態では、ある１つの子機２０において通話開始した場合、親機制御部１４は、親機記憶部１５に記憶された音声パラメータ設定テーブルから、当該子機２０の情報と対応付けられた対応関係情報のみを抽出して、抽出した上記対応関係情報を当該子機２０に送信する。当該子機２０の子機制御部２４は、親機１０から受信した上記対応関係情報を用いて、前記実施形態で説明したように、音声パラメータを調節する（図４参照）。
【００４６】
本実施形態の構成によれば、子機２０の子機記憶部２５には、音声パラメータ設定テーブルが保存されなくてよい。したがって、子機２０は、音声パラメータ設定テーブルを保存するための子機記憶部２５を備えなくてよい。そのため、子機２０の構成を簡素化するとともに、子機２０の製造に係るコストを削減することができる。
【００４７】
〔実施形態３〕
他の実施形態では、親機制御部１４または子機制御部２４は、通話開始時または通話途中、電話機１または通話相手の様々な状態の情報に基づいて、音声パラメータを制御してもよい。例えば、親機制御部１４または子機制御部２４は、電話機１の周辺環境または通話相手の電話機の周辺環境の情報に基づいて、音声パラメータを制御してもよい。あるいは、親機制御部１４または子機制御部２４は、通話開始時の時刻（例えば、日中のうるさい時間帯に含まれるか、あるいは夜間の静かな時間帯に含まれるか）や、電話回線を流れる音声信号に乗ったノイズの大きさに基づいて、音声パラメータを制御してもよい。本実施形態では、親機記憶部１５および子機記憶部２５に記憶される音声パラメータ設定テーブルにおいて、音声パラメータの情報に対し、上述した様々な状態の情報等が対応付けられる。
【００４８】
例えば、親機制御部１４または子機制御部２４は、電話機１の周辺環境または通話相手の周辺環境から、ノイズを取得または検出する。そして、音声パラメータ設定テーブルを参照して、取得または検出したノイズの大きさの情報と対応付けられた音声パラメータの情報を検索する。親機制御部１４または子機制御部２４は、検索した音声パラメータの情報に基づいて、ユーザまたは通話相手の音声に対するノイズの影響が小さくなるように、音声パラメータを調節する。具体的には、親機制御部１４または子機制御部２４は、受話音量および送話音量を大きくしてもよい。あるいは、親機制御部１４または子機制御部２４は、ノイズリダクション処理等により、受話音質および送話音質を向上させてもよい。
【００４９】
本実施形態の構成によれば、通話ごとに異なる様々な状態の情報等に基づいて、音声パラメータを適切に調節することができる。
【００５０】
（変形例）
一変形例では、通話開始時における電話機１の周辺環境の状態と一致する状態の情報が、音声パラメータ設定テーブル中にない場合、親機制御部１４または子機制御部２４は、音声パラメータ設定テーブル中において、電話機１の周辺環境の状態と最も近い状態の情報に基づいて、音声パラメータを制御してもよい。
【００５１】
他の変形例では、音声パラメータ設定テーブルにおいて、音声通信装置ａ（親機１０または子機２０）に対応する音声パラメータの情報と、他の音声通信装置ｂに対応する音声パラメータの情報とが近い場合、音声通信装置ａと音声通信装置ｂとの間で、音声パラメータの情報を共通化してもよい。例えば、音声通信装置ａを用いて通話が行われた場合、音声パラメータ設定テーブルには、その通話に基づいて生成された多対応関係情報が、音声通信装置ａおよび音声通信装置ｂに共通の対応関係情報として記憶されてよい。
【００５２】
〔実施形態４〕
音声パラメータ設定テーブルには、ユーザが通話する場合の音声パラメータに加えて、他の音声パラメータが含まれていてもよい。例えば、電話の接続相手の相手番号と、電話機１が留守番電話機能またはその他の機能によって自動的に応答する場合の音声パラメータとを対応付けた対応関係情報が記憶されていてよい。
【００５３】
なお、音声パラメータ設定テーブルにおいて、１つの相手番号には、複数の通話パラメータが対応付けられていてよい。例えば、１つの音声パラメータに対して、ユーザが通話する場合の音声パラメータの他に、電話機１が自動的に応答する際の音声パラメータが対応付けられていてもよい。上記の構成によれば、親機制御部１４または子機制御部２４は、応答時の状況に応じて、より適切な音声パラメータを設定することができる。
【００５４】
〔実施形態５〕
実施形態５では、親機１０および子機２０が、留守録音機能または通話中の音声を録音（通話録音）する機能を有しており、親機１０および子機２０のいずれからも、録音された接続相手の音声データをイヤーピースまたはスピーカから再生することが可能である。また、録音された音声データに対し、相手番号の情報が対応付けられる。
【００５５】
親機制御部１４および子機制御部２４は、録音された音声を再生するとき、音声パラメータ設定テーブルにおいて相手番号と対応付けられている音声パラメータに基づいて、録音された音声の音量等を調節する。音声パラメータ設定テーブルにおいて、接続相手の音声（録音音声）の出力装置（イヤーピースおよびスピーカを含む）ごとに、それぞれ音声パラメータが関連付けられていてよい。親機１０または子機２０が録音データを再生している間に、音声パラメータ（例えば、音量）の設定が変更された場合、親機制御部１４または子機制御部２４は、音声パラメータ設定テーブルにおいて、録音データと対応付けられた相手番号と関連づけられている音声パラメータを更新する。
【００５６】
〔実施形態６〕
親機１０および子機２０の各制御ブロック（特に親機制御部１４および子機制御部２４）は、集積回路（ＩＣチップ）等に形成された論理回路（ハードウェア）によって実現してもよいし、ＣＰＵ（Central Processing Unit）を用いてソフトウェアによって実現してもよい。
【００５７】
後者の場合、親機１０および子機２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５８】
〔まとめ〕
本発明の態様１に係る電話機（１）は、複数の音声通信装置（親機１０および子機２０）を備えた電話機であって、電話の接続相手の電話番号である相手番号と、送出または出力する音声に関係する音声パラメータとを対応付けた対応関係情報を、上記音声通信装置ごとに記憶しており、上記複数の音声通信装置のいずれか１つが、接続相手に音声を送出するか、あるいは当該接続相手の音声または録音された音声を出力する場合、当該いずれか１つの音声通信装置の上記対応関係情報に基づいて、当該接続相手の上記相手番号に応じて、上記音声パラメータを設定する。
【００５９】
上記の構成によれば、複数の音声通信装置のうちのある１つの音声通信装置によって、音声の送出または出力をする場合に、当該ある１つの音声通信装置の対応関係情報を参照して、相手番号に応じて、音声パラメータを設定することができる。また、対応関係情報が音声通信装置ごとに異なっていてよいので、各音声通信装置の状態および性能等に応じて、音声パラメータを適切に設定することができる。音声パラメータには、例えば、スピーカおよびイヤピースの各々についての、受話（送出）音量、送話（送出）音量、受話（出力）音質、および送話（送出）音質が含まれてよい。なお、音声の送出・出力には、ユーザまたは接続相手の発話に基づく音声の送出・出力の他に、音声通信装置が生成した音声の送出・出力も含まれる。
【００６０】
本発明の態様２に係る電話機は、上記態様１において、音声の送出または出力に用いられる音声通信装置が音声の送出または出力中に切り替えられた場合、切り替え前の音声通信装置から切り替え後の音声通信装置へ、上記相手番号を通知し、上記切り替え後の音声通信装置は、上記切り替え後の音声通信装置の上記対応関係情報を参照して、上記切り替え前の音声通信装置から通知された上記相手番号に応じて、上記音声パラメータを設定してもよい。
【００６１】
上記の構成によれば、音声通信に用いられる音声通信装置が音声通信中に切り替えられた場合、切り替え後の音声通信装置の状態および性能等に応じて、音声パラメータを適切に設定することができる。
【００６２】
本発明の態様３に係る電話機は、上記態様１または２において、上記複数の音声通信装置のうち少なくとも１つの音声通信装置は、上記対応関係情報を記憶していてもよい。
【００６３】
上記の構成によれば、少なくとも１つの音声通信装置に記憶された対応関係情報を参照して、複数の音声通信装置の音声パラメータを設定することができる。
【００６４】
本発明の態様４に係る電話機は、上記態様２または３において、接続相手に音声を送出している間、あるいは当該接続相手の音声または録音された音声を出力している間に上記音声パラメータが変更された場合、音声の送出または出力に用いられる音声通信装置は、上記接続相手の上記相手番号と、変更後の音声パラメータとを対応付けた対応関係情報を記憶してもよい。
【００６５】
上記の構成によれば、音声の送出または出力中に、ユーザの操作等によって音声パラメータが変更された場合、その変更の結果に基づいて生成した対応関係情報を記憶することができる。
【００６６】
本発明の態様５に係る電話機は、上記態様２から４のいずれかにおいて、音声の送出または出力に用いられる音声通信装置が記憶する上記対応関係情報中に、上記接続相手の相手番号がない場合、当該音声通信装置は、当該接続相手の上記相手番号と、当該接続相手へ音声を送出する場合または当該接続相手から音声または録音された音声を出力する場合の上記音声パラメータとを対応付けた対応関係情報を、当該音声通信装置に記憶してもよい。
【００６７】
上記の構成によれば、音声通信装置が電話の接続相手との間で初めて音声の送出または出力をした場合、当該接続相手の電話番号と音声パラメータとを対応付けた対応関係情報を記憶することができる。
【００６８】
本発明の各態様に係る電話機は、コンピュータによって実現してもよく、この場合には、コンピュータを上記電話機が備える各部（ソフトウェア要素）として動作させることにより上記電話機をコンピュータにて実現させる電話機の制御プログラム、およびそれを記録したコンピュータ読み取り可能な記録媒体も、本発明の範疇に入る。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７０】
１  電話機
１０  親機（音声通信装置）
２０  子機（音声通信装置）
【図１】
2018037745.tif 000003
【図２】
2018037745.tif 000004
【図３】
2018037745.tif 000005
【図４】
2018037745.tif 000006
【図５】
2018037745.tif 000007
【図６】
2018037745.tif 000008